(57)【要約】      （修正有）【課題】容易に摺動部のクリアランスを調整することができる摺動部クリアランス調整機構を提供する。【解決手段】ライナープレート１が取り付けられて案内部に移動可能に設けられている可動部材２０と、ライナープレート１を摺動部１３ａに近接させる方向に可動部材２０の配置を切り替える第一ネジ部材２と、摺動部１３ａから離間する方向に可動部材２０の配置を切り替える第二ネジ部材３とを備えた摺動部クリアランス調整機構１００において、第一ネジ部材２を案内部１２ａにねじ込み、ライナープレート１を摺動部１３ａに近接させる方向に可動部材２０の配置を切り替えることと、第二ネジ部材３をねじ回しして可動部材２０から第二ネジ部材３を突き出し、ライナープレート１を摺動部１３ａから離間させる方向に可動部材２０の配置を切り替えることによって、摺動部１３ａとライナープレート１の間のクリアランスを容易に調整することとした。【選択図】図２
2014114565.tif 000002
【特許請求の範囲】
【請求項１】
摺動部と、前記摺動部を摺動可能に案内する案内部側に配設されたライナープレートとの間のクリアランスを調整する摺動部クリアランス調整機構であって、
前記案内部に移動可能に設けられ、前記ライナープレートが取り付けられている可動部材と、
前記ライナープレートを前記摺動部に近接させる方向に前記可動部材の配置を切り替える第一調整部と、
前記摺動部に対する前記可動部材の配置を切り替える第二調整部と、
を備えたことを特徴とする摺動部クリアランス調整機構。
【請求項２】
前記可動部材は、前記摺動部に対向するとともに互いに直交する２つの摺接面を有し、その摺接面にそれぞれ前記ライナープレートが取り付けられており、
前記第一調整部は、前記可動部材を介して前記案内部に螺合している第一ネジ部材を備え、前記第一ネジ部材を前記案内部にねじ込むことで、少なくとも一方のライナープレートを前記摺動部に近接させる方向に前記可動部材を移動させ、
前記第二調整部は、前記可動部材に出没可能に螺合している第二ネジ部材を備え、前記第二ネジ部材をねじ回して前記案内部に向けて突き出すことで、前記可動部材を前記摺動部から離間させる方向に移動させることを特徴とする請求項１に記載の摺動部クリアランス調整機構。
【請求項３】
前記可動部材は、前記摺動部に対向する摺接面を有し、その摺接面に前記ライナープレートが取り付けられており、
前記第一調整部は、前記案内部を貫通するように螺合し、その一端に前記可動部材が支持されているボルト部材を備え、前記ボルト部材をねじ回して前記一端側を前記案内部から突き出すことで、前記ライナープレートを前記摺動部に近接させる方向に前記可動部材を移動させ、
前記第二調整部は、前記ボルト部材の他端に螺着されたナット部材を備え、前記ナット部材を前記ボルト部材の一端に向けて締め込むことで相対的に前記他端側を前記案内部から突き出させて、前記可動部材を前記摺動部から離間させる方向に移動させることを特徴とする請求項１に記載の摺動部クリアランス調整機構。
【請求項４】
前記摺動部において互いに直交する２面のそれぞれに向けて、前記ライナープレートを対向させるように配された前記可動部材と、その可動部材に一端が支持された前記ボルト部材と、そのボルト部材の他端に螺着された前記ナット部材と、を備えたことを特徴とする請求項３に記載の摺動部クリアランス調整機構。
【発明の詳細な説明】
【技術分野】
【０００１】
本発明は、摺動部クリアランス調整機構に関する。
【背景技術】
【０００２】
従来、杭を地盤に打ち込んで埋設する装置として、既設の杭から反力を取って杭を地中に圧入する杭圧入機が知られている。
杭圧入機は、装置本体と、装置本体の下部に設けられ、既設の杭を掴むクランプ装置と、装置本体の前端部に設けられ、既設の杭に隣接した位置に圧入する杭を挟んで保持するチャック装置とを備えている。また、杭圧入機の装置本体は、クランプ装置が配されたサドルと、サドルに対して前後動可能なスライドベースと、スライドベース上に配されてチャック装置が昇降可能に取り付けられているリーダマストとを備えている。
そして、杭圧入機は、クランプ装置で既設杭の上端側を掴み、その既設杭から反力を取った状態で杭を把持するチャック装置を降下させるようにして、杭を地中に圧入するようになっている（例えば、特許文献１参照。）。
【０００３】
この杭圧入機におけるスライドベースは、サドルに対して摺動可能に設けられており、そのスライドベースは機械重量および施工推力が掛かった状態で動かすことになるので、スライドベースの摺動部には摩擦が生じる。その摩擦による焼付きを防止するために、摺動部が摺接する部分にライナープレートを取り付け、オーバーホール時に定期的に交換を行っている。
【先行技術文献】
【特許文献】
【０００４】
【特許文献１】特公昭６３−４７８４８号公報
【発明の概要】
【発明が解決しようとする課題】
【０００５】
しかしながら、上記従来技術の場合、杭圧入機を稼動する時間の経過毎にライナープレートが摩耗し、摺動部とライナープレートの間のクリアランスが徐々に大きくなり、オーバーホール実施直前ではかなりのクリアランスが生じて圧入施工動作にも影響が出てくる。また、クリアランスが大きくなった状態では接触面積が少なくなり且つ面圧上昇するため、更に摩耗が進み易くなり悪循環である。
杭圧入機で圧入施工を好適に行うためには、摺動部におけるクリアランスを所定範囲に保つようにライナープレートをこまめに交換することが好ましいが、ライナープレートの部品代及びライナープレートの交換作業に多大の費用がかかるため、定期的なオーバーホールでライナープレートを交換して、クリアランスの調整を行っているという現状がある。
【０００６】
本発明の目的は、容易に摺動部のクリアランスを調整することができる摺動部クリアランス調整機構を提供することである。
【課題を解決するための手段】
【０００７】
以上の課題を解決するため、請求項１に記載の発明は、
摺動部と、前記摺動部を摺動可能に案内する案内部側に配設されたライナープレートとの間のクリアランスを調整する摺動部クリアランス調整機構であって、
前記案内部に移動可能に設けられ、前記ライナープレートが取り付けられている可動部材と、
前記ライナープレートを前記摺動部に近接させる方向に前記可動部材の配置を切り替える第一調整部と、
前記摺動部に対する前記可動部材の配置を切り替える第二調整部と、
を備えたことを特徴とする。
【０００８】
請求項２に記載の発明は、請求項１に記載の摺動部クリアランス調整機構において、
前記可動部材は、前記摺動部に対向するとともに互いに直交する２つの摺接面を有し、その摺接面にそれぞれ前記ライナープレートが取り付けられており、
前記第一調整部は、前記可動部材を介して前記案内部に螺合している第一ネジ部材を備え、前記第一ネジ部材を前記案内部にねじ込むことで、少なくとも一方のライナープレートを前記摺動部に近接させる方向に前記可動部材を移動させ、
前記第二調整部は、前記可動部材に出没可能に螺合している第二ネジ部材を備え、前記第二ネジ部材をねじ回して前記案内部に向けて突き出すことで、前記可動部材を前記摺動部から離間させる方向に移動させることを特徴とする。
【０００９】
請求項３に記載の発明は、請求項１に記載の摺動部クリアランス調整機構において、
前記可動部材は、前記摺動部に対向する摺接面を有し、その摺接面に前記ライナープレートが取り付けられており、
前記第一調整部は、前記案内部を貫通するように螺合し、その一端に前記可動部材が支持されているボルト部材を備え、前記ボルト部材をねじ回して前記一端側を前記案内部から突き出すことで、前記ライナープレートを前記摺動部に近接させる方向に前記可動部材を移動させ、
前記第二調整部は、前記ボルト部材の他端に螺着されたナット部材を備え、前記ナット部材を前記ボルト部材の一端に向けて締め込むことで相対的に前記他端側を前記案内部から突き出させて、前記可動部材を前記摺動部から離間させる方向に移動させることを特徴とする。
【００１０】
請求項４に記載の発明は、請求項３に記載の摺動部クリアランス調整機構において、
前記摺動部において互いに直交する２面のそれぞれに向けて、前記ライナープレートを対向させるように配された前記可動部材と、その可動部材に一端が支持された前記ボルト部材と、そのボルト部材の他端に螺着された前記ナット部材と、を備えたことを特徴とする。
【発明の効果】
【００１１】
本発明によれば、容易に摺動部のクリアランスを調整することができる摺動部クリアランス調整機構を得ることができる。
【図面の簡単な説明】
【００１２】
【図１】杭圧入装置を示す側面図である。
【図２】杭圧入装置のサドルに摺動可能に備えられたスライドベースの摺動部における摺動部クリアランス調整機構を拡大して示す側面図（ａ）と、図２（ａ）のI−I線における断面図（ｂ）と、図２（ａ）のII−II線における断面図（ｃ）である。
【図３】他の実施形態における摺動部クリアランス調整機構を拡大して示す側面図（ａ）と、図３（ａ）のIII−III線における断面図（ｂ）である。
【発明を実施するための形態】
【００１３】
以下、図面を参照して、本発明に係る摺動部クリアランス調整機構の実施形態について詳細に説明する。
本実施形態では、杭圧入装置のサドルに摺動可能に備えられたスライドベースの摺動部における摺動部クリアランス調整機構を例に説明する。
【００１４】
杭圧入装置１０は、図１に示すように、所定の杭Ｐ（例えば、鋼矢板など）を地中に圧入するパイル圧入機であり、既に地中に圧入された既設杭Ｐの上端側を掴んで支持する複数のクランプ装置１１…を備えたサドル１２と、サドル１２に対して前後動可能なスライドベース１３と、スライドベース１３上で左右に旋回可能なリーダマスト１４と、リーダマスト１４の前面に昇降可能に取り付けられたチャック装置１５と、リーダマスト１４に対してチャック装置１５を昇降駆動するメイン油圧シリンダ１６等を備えている。
【００１５】
クランプ装置１１は、サドル１２の下面に設けられている。このクランプ装置１１は、例えば、先に圧入された既設の杭Ｐである鋼矢板の上端側を挟んだ状態で、図示しない油圧シリンダの駆動によりその鋼矢板の上端部を挟持して掴むことができる。つまり、クランプ装置１１は、既設杭Ｐを掴むことで杭圧入装置１０を既設杭Ｐの上端部に固定する固定手段として機能する。
特に、クランプ装置１１は、掴んで支持した既設杭Ｐから反力を取って、杭圧入装置１０が新たに杭Ｐを圧入することができるように、杭圧入装置１０を既設杭Ｐの上端部に固定し設置するようになっている。
【００１６】
スライドベース１３は、前後方向に摺動可能にサドル１２に備えられている。
このスライドベース１３は、サドル１２に対し前方に移動してリーダマスト１４及びチャック装置１５を水平に前側に移動させることにより、サドル１２を移動することなく、先頭のクランプ装置１１が支持している既設杭Ｐの先に、新たな杭を順次圧入することを可能にする。
なお、サドル１２が摺動可能に支持しているスライドベース１３の摺動部１３ａや、その摺動部１３ａにおける摺動部クリアランス調整機構については後述する。
【００１７】
リーダマスト１４は、スライドベース１３に対し左右に旋回可能とされることにより、順次並んで圧入される杭の列の方向を直角に曲げたり、湾曲して曲げたりすることが可能となっている。
チャック装置１５は、その背面側がリーダマスト１４の前面側に昇降可能に嵌合した状態とされるとともに、リーダマスト１４とチャック装置１５に接続されたメイン油圧シリンダ１６により昇降駆動されるようになっている。
【００１８】
そして、チャック装置１５が把持した杭Ｐを地中に圧入する際、チャック装置１５の昇降範囲は限られているので、杭Ｐを把持してチャック装置１５を下降させることと、杭Ｐを離してチャック装置１５を上昇させることを繰り返すようになっている。これにより、チャック装置１５が昇降する１ストローク分ずつ杭Ｐを圧入することが繰り返され、チャック装置１５の昇降範囲より深く杭Ｐを地中に圧入することが可能になっている。
【００１９】
上記した杭圧入装置１０は、既設杭Ｐの先に新たな杭Ｐをチャック装置１５で圧入する動作と、クランプ装置１１による既設杭Ｐの上端部の把持と解除の動作と、サドル１２に対するスライドベース１３の前後動の動作と、を組み合わせることで、既設杭Ｐからなる杭列上を自走し移動することができる。
なお、杭圧入装置１０が杭列上を自走する動作は周知であるので、ここでは詳述しない。
【００２０】
次に、杭圧入装置１０のサドル１２に摺動可能に備えられたスライドベース１３の摺動部１３ａにおける摺動部クリアランス調整機構１００について説明する。
【００２１】
図２（ａ）（ｂ）（ｃ）に示すように、サドル１２の上部には、上方に突き出した縁部１２ｃを有する案内部１２ａが設けられており、その案内部１２ａに案内部の一部を成す可動部材２０が取り付けられている。また、スライドベース１３の左右両側には、側方に突き出した摺動部１３ａが設けられている。
このスライドベース１３の摺動部１３ａが、案内部としての可動部材２０とサドル１２の案内部１２ａとの間に介装されて、スライドベース１３がサドル１２に摺動可能に支持されている。
【００２２】
可動部材２０は、案内部１２ａに移動可能に備えられており、案内部１２ａとともにスライドベース１３を摺動可能に支持する案内部としても機能する。
例えば、可動部材２０は、摺動部１３ａの上面と側面に対向するとともに互いに直交する２つの摺接面を有し、断面視略Ｌ字形状を呈する長尺なレール状の部材である。
この可動部材２０の２つの摺接面にそれぞれライナープレート１が取り付けられている。
また、可動部材２０には、第一調整部の第一ネジ部材２が配される貫通孔（ねじ穴）と、第二調整部の第二ネジ部材３が配される貫通孔（ねじ穴）が、それぞれ複数形成されている。
そして、この可動部材２０は、第一調整部（第一ネジ部材２）および第二調整部（第二ネジ部材３）の作用によってその配置を切り替えるように、案内部１２ａに移動可能に備えられている。
【００２３】
ライナープレート１は、例えば、金属製のプレート材料からなり、その厚さは任意であるが、２ｍｍ程度であることが好ましい。厚さ２ｍｍの金属製プレート材料であれば、材料費を抑え製品原価のコストダウンを図ることができる。また、ライナープレート１の厚さが２ｍｍであれば、可動部材２０の摺動面を保護する機能を十分に有するので、そのライナープレート１を好適に使用することができる。
【００２４】
第一ネジ部材２は、可動部材２０を介して案内部１２ａに螺合するよう、可動部材２０に形成された貫通孔を通じて案内部１２ａに螺合している。
この第一調整部としての第一ネジ部材２を案内部１２ａにねじ込むことで、少なくとも一方のライナープレート１を摺動部１３ａに近接させる方向に可動部材２０を移動させるように、可動部材２０の配置を切り替えることができる。
例えば、第一ネジ部材２を案内部１２ａにねじ込むことで、可動部材２０を下方に移動させる配置の切り替えを行い、摺動部１３ａの上面に対向しているライナープレート１を摺動部１３ａに近接させることができる。
【００２５】
第二ネジ部材３は、可動部材２０に出没可能に螺合している、例えば六角穴付きの止めネジであり、可動部材２０に形成された貫通孔に配設されている。
この第二調整部としての第二ネジ部材３をねじ回して案内部１２ａに向けて突き出すことで、可動部材２０を摺動部１２ａから離間させる方向に移動させるように、可動部材２０の配置を切り替えることができる。
例えば、第二ネジ部材３を可動部材２０の下面から突き出すようにねじ回すことで、案内部１２ａに突き当たった第二ネジ部材３が相対的に可動部材２０を上方に移動させる配置の切り替えを行い、摺動部１３ａの上面に対向しているライナープレート１を摺動部１３ａから離間させることができる。
【００２６】
ここで、可動部材２０、第一ネジ部材２、第二ネジ部材３を備えている摺動部クリアランス調整機構１００による、摺動部１３ａとライナープレート１の間のクリアランスの調整方法について説明する。
【００２７】
例えば、ライナープレート１を交換する可動部材２０のオーバーホールを行い、可動部材２０の摺動面に新たなライナープレート１を貼付した後、第一ネジ部材２によって可動部材２０を案内部１２ａに取り付ける。
その際、スライドベース１３が好適に摺動できるように、摺動部１３ａの上面とライナープレート１の間のクリアランスを調整しつつ、第一ネジ部材２を案内部１２ａにねじ込み、可動部材２０を案内部１２ａに取り付ける。
なお、スライドベース１３が好適に摺動できる配置に可動部材２０を位置決めして取り付けることができるように、予め可動部材２０の下面から第二ネジ部材３を所定量突き出しておくようにしてもよい。こうすることによって、第一ネジ部材２を締め付け過ぎて、可動部材２０（ライナープレート１）を摺動部１３ａに圧接してしまうことなく、可動部材２０を好適な配置に取り付けることができる。
【００２８】
次いで、杭圧入装置１０を稼動させた時間の経過に伴いライナープレート１が摩耗し、摺動部１３ａの上面とライナープレート１の間のクリアランスが大きくなった場合、第一ネジ部材２を案内部１２ａにねじ込むことで、摺動部１３ａの上面にライナープレート１を近接させるように可動部材２０を下方に移動させて、摺動部１３ａの上面とライナープレート１の間のクリアランスを調整する。
さらに、摺動部１３ａとライナープレート１を近接させ過ぎた場合など、クリアランスの微調整として、第二ネジ部材３を可動部材２０の下面から突き出すようにねじ回して、第二ネジ部材３を案内部１２ａに突き当てて相対的に可動部材２０を上方に移動させる配置の切り替えを行う。なお、可動部材２０は第一ネジ部材２によって案内部１２ａに取り付けられているため、その支持力に抗するように第二ネジ部材３をねじ回ししても、可動部材２０は僅かに上方にずれる程度である。つまり、第二ネジ部材３をねじ回しすることで可動部材２０を僅かに上方に移動させて、その可動部材２０の配置を微調整することができるので、摺動部１３ａとライナープレート１の間のクリアランスを微調整することができる。
【００２９】
また、摺動部１３ａとライナープレート１を近接させ過ぎた場合、一旦、第一ネジ部材２を緩めた後、第二ネジ部材３をねじ回して、可動部材２０の下面から第二ネジ部材３をクリアランス相当分突き出させ、再度第一ネジ部材２を締め込むようにして可動部材２０を好適な配置に取り付けるように、クリアランスを調整することもできる。
【００３０】
こうして第一ネジ部材２を案内部１２ａにねじ込み、ライナープレート１を摺動部１３ａに近接させる方向に可動部材２０の配置を切り替えることと、第二ネジ部材３をねじ回しして、可動部材２０の下面から第二ネジ部材３を突き出し、ライナープレート１を摺動部１３ａから離間させる方向に可動部材２０の配置を切り替えることによって、摺動部１３ａとライナープレート１の間のクリアランスを容易に調整することができる。
【００３１】
このように、可動部材２０と、第一ネジ部材２と、第二ネジ部材３とを備えている摺動部クリアランス調整機構１００は、第一ネジ部材２と第二ネジ部材３とによって可動部材２０の配置を切り替えて、摺動部１３ａとライナープレート１の間のクリアランスを容易に調整することができるので、摺動部１３ａとライナープレート１の間のクリアランスを所定範囲に保つようにこまめに調整することで、杭圧入装置１０は圧入施工を好適に行うことが可能になる。
【００３２】
なお、本発明は上記実施形態に限られるものではない。
例えば、図３（ａ）（ｂ）に示すように、ライナープレート１が取り付けられた可動部材２１と、第一調整部としてのボルト部材４と、第二調整部としてのナット部材５とを備えた構成の摺動部クリアランス調整機構１０１であってもよい。
以下、摺動部クリアランス調整機構１０１について説明する。
【００３３】
図３（ａ）（ｂ）に示すように、サドル１２の上部には、上方に突き出すとともに先端側を内側（スライドベース１３側）に向けて折曲した形状の案内部１２ｂが設けられている。また、スライドベース１３の左右両側には、側方に突き出した摺動部１３ａが設けられている。
このスライドベース１３の摺動部１３ａが、サドル１２の案内部１２ｂに滑合されて、スライドベース１３がサドル１２に摺動可能に支持されている。
【００３４】
案内部１２ｂは、摺動部１３ａの上面に対向した配置の上面部１２ｄと、摺動部１３ａの側面に対向した配置の側面部１２ｅを有している。
この上面部１２ｄと側面部１２ｅにはそれぞれ、ボルト部材４が配される貫通孔（ねじ穴）が複数形成されている。そして、案内部１２ｂの上面部１２ｄと側面部１２ｅにそれぞれ、ボルト部材４、ナット部材５、ライナープレート１が取り付けられた可動部材２１が組み付けられるようになっている。
つまり、摺動部クリアランス調整機構１０１は、摺動部１３ａにおいて互いに直交する２面（上面と側面）のそれぞれに向けて、ライナープレート１を対向させるように配された可動部材２１を備え、各可動部材２１にその可動部材２１の配置を切り替えるためのボルト部材４とナット部材５とを備えた構成をとっている。
【００３５】
可動部材２１は、摺動部１３ａに対向する摺接面を有する板状の部材であり、その摺接面にライナープレート１が取り付けられている。
ライナープレート１は、例えば、金属製のプレート材料からなり、その厚さは任意であるが、２ｍｍ程度であることが好ましい。
【００３６】
ボルト部材４は、案内部１２ｂを貫通するように螺合している、止めねじタイプのボルトである。
ボルト部材４の一端は、スライドベース１３（摺動部１３ａ）が滑合される側である案内部１２ｂの内面側に突き出るようになっており、そのボルト部材４の一端に可動部材２１が支持されている。例えば、可動部材２１に対しボルト部材４の一端は回転可能に軸着されており、ボルト部材４が可動部材２１に軸支されている。
このボルト部材４をねじ回して、ボルト部材４の一端側を案内部１２ｂから突き出すことで、可動部材２１と一体のライナープレート１を摺動部１３ａに近接させる方向に移動させるように、可動部材２１の配置を切り替えることができる。
例えば、ボルト部材４を案内部１２ｂにねじ込み、ボルト部材４の一端を案内部１２ｂの内面側から突き出すように可動部材２１を移動させて、摺動部１３ａの上面に対向しているライナープレート１を摺動部１３ａに近接させること、摺動部１３ａの側面に対向しているライナープレート１を摺動部１３ａに近接させることができる。
【００３７】
ナット部材５は、案内部１２ｂの外面側に突き出たボルト部材４の他端に螺着している。つまり、ナット部材５と可動部材２１は、案内部１２ｂを挟んでボルト部材４のそれぞれの端部に配設されている。
このナット部材５をボルト部材４の一端に向けて締め込むことで相対的にボルト部材４の他端側を案内部１２ｂから突き出させて、可動部材２１を摺動部１３ａから離間させる方向に移動させるように、可動部材２１の配置を切り替えることができる。
例えば、ナット部材５をボルト部材４の一端に向けて締め込み、相対的にボルト部材４の他端を案内部１２ｂの外面側から突き出させるように、ボルト部材４および可動部材２１を移動させて、摺動部１３ａの上面に対向しているライナープレート１を摺動部１３ａから離間させること、摺動部１３ａの側面に対向しているライナープレート１を摺動部１３ａから離間させることができる。
【００３８】
ここで、可動部材２１、ボルト部材４、ナット部材５を備えている摺動部クリアランス調整機構１０１による、摺動部１３ａとライナープレート１の間のクリアランスの調整方法について説明する。
【００３９】
例えば、ライナープレート１を交換する可動部材２１のオーバーホールを行い、可動部材２１の摺動面に新たなライナープレート１を貼付した後、案内部１２ｂを貫通するように螺合したボルト部材４の一端にその可動部材２１を軸着するか、その一端に可動部材２１を回転可能に軸着したボルト部材４を案内部１２ｂの貫通孔に螺合させるか、何れかの手順に従って、ライナープレート１と一体の可動部材２１及びボルト部材４を案内部１２ｂに取り付ける。
また、案内部１２ｂの外面側に突き出たボルト部材４の他端にナット部材５を螺着する。
その際、スライドベース１３が好適に摺動できるように、摺動部１３ａの上面とライナープレート１の間のクリアランスと、摺動部１３ａの側面とライナープレート１の間のクリアランスを調整しつつ、ボルト部材４をねじ回して可動部材２１の配置を調整する。
なお、スライドベース１３が好適に摺動できる配置に可動部材２１を位置決めして取り付けることができるように、予めボルト部材４の他端の所定位置にナット部材５を螺着しておくようにしてもよい。こうすることによって、ボルト部材４をねじ回してナット部材５が案内部１２ｂの外面に当接したタイミングがボルト部材４の締め込みを止めるタイミングであるように設定することができ、ボルト部材４を締め付け過ぎて、可動部材２１（ライナープレート１）を摺動部１３ａに圧接してしまうことなく、可動部材２１を好適な配置に取り付けることができる。
【００４０】
次いで、杭圧入装置１０を稼動させた時間の経過に伴いライナープレート１が摩耗し、摺動部１３ａとライナープレート１の間のクリアランスが大きくなった場合、ボルト部材４をねじ回して、ボルト部材４の一端側に可動部材２１とともに配設されているライナープレート１を摺動部１３ａに近接させるように移動させて、摺動部１３ａの上面および側面とライナープレート１の間のクリアランスを調整する。
さらに、摺動部１３ａとライナープレート１を近接させ過ぎた場合など、クリアランスの微調整として、ボルト部材４の他端に螺着しているナット部材５をボルト部材４の一端に向けて締め込むことで相対的にボルト部材４の他端側を案内部１２ｂから突き出させるようにして、可動部材２１を摺動部１３ａから離間させる方向に移動させる配置の切り替えを行う。このナット部材５をボルト部材４の一端に向けて締め込むことで、可動部材２１の配置を微調整することができるので、摺動部１３ａとライナープレート１の間のクリアランスを微調整することができる。
【００４１】
また、ライナープレート１が摩耗し、摺動部１３ａとライナープレート１の間のクリアランスが大きくなった場合、クリアランスが広がった分に相当する隙間を案内部１２ｂ外面とナット部材５の間につくるようにナット部材５の螺着位置を調整した後、ナット部材５が案内部１２ｂの外面に当接するまでボルト部材４をねじ回して、可動部材２１及びライナープレート１の配置を切り替えることで、クリアランスを調整することもできる。
【００４２】
こうしてボルト部材４を案内部１２ｂにねじ込み、ライナープレート１を摺動部１３ａに近接させる方向に可動部材２１の配置を切り替えることと、ナット部材５をボルト部材４の一端に向けて締め込むことで相対的にボルト部材４をナット部材５側に引き寄せるように移動させて、ライナープレート１を摺動部１３ａから離間させる方向に可動部材２１の配置を切り替えることによって、摺動部１３ａとライナープレート１の間のクリアランスを容易に調整することができる
【００４３】
このように、可動部材２１と、ボルト部材４と、ナット部材５とを備えている摺動部クリアランス調整機構１０１は、ボルト部材４とナット部材５とによって可動部材２１の配置を切り替えて、摺動部１３ａとライナープレート１の間のクリアランスを容易に調整することができるので、摺動部１３ａとライナープレート１の間のクリアランスを所定範囲に保つようにこまめに調整することで、杭圧入装置１０は圧入施工を好適に行うことが可能になる。
特に、この摺動部クリアランス調整機構１０１であれば、摺動部１３ａの上面とライナープレート１の間のクリアランスと、摺動部１３ａの側面とライナープレート１の間のクリアランスを、それぞれ調整することができるので、スライドベース１３がより一層良好に摺動するためのメンテナンスを可能にする。
【００４４】
なお、本発明の適用は上述した実施形態に限定されることなく、本発明の趣旨を逸脱しない範囲で適宜変更可能である。
【符号の説明】
【００４５】
１      ライナープレート
２      第一ネジ部材（第一調整部）
３      第二ネジ部材（第二調整部）
４      ボルト部材（第一調整部）
５      ナット部材（第二調整部）
１０    杭圧入装置
１２    サドル
１２ａ  案内部
１２ｂ  案内部
１３    スライドベース
１３ａ  摺動部
２０    可動部材
２１    可動部材
１００  摺動部クリアランス調整機構
１０１  摺動部クリアランス調整機構
Ｐ      杭
【図１】
2014114565.tif 000003
【図２】
2014114565.tif 000004
【図３】
2014114565.tif 000005